(57)【要約】【課題】衝撃等を受けた際のロックの信頼性や解錠時のロック防止性を高める。【解決手段】ストライカ２に係合するロック部材３と、ロック部材に係合するストッパ部４と、ストッパ部と一体に回動するリンク部５と、リンク部の一端に係合した電磁ソレノイド７のプランジャ８と、リンク部５の他端に係合したカウンタウェイト９とを備え、ストッパ部４とリンク部５とで成る部材６の重心と回動中心１０ａとが一致した電気錠１を採用する。ストッパ部４とリンク部５とを別体に形成した。回動中心１０ａに対するプランジャ８のモーメントとカウンタウェイト９のモーメントとをリンク部５の回動位置に関係なく一定とした。リンク部５の一端と他端との各ガイド部２２にプランジャ８とカウンタウェイト９との各係合部２４，２５をリンク部長手方向にスライド自在に係合させた。【選択図】図１
2008266929.tif 000002
【特許請求の範囲】
【請求項１】
相手側のストライカに係合するロック部材と、該ロック部材に係合するストッパ部と、該ストッパ部と一体に回動するリンク部と、該リンク部の一端に係合した電磁ソレノイドのプランジャと、該リンク部の他端に係合したカウンタウェイトとを備え、該ストッパ部と該リンク部とで成る部材の重心と回動中心とが一致したことを特徴とする電気錠。
【請求項２】
前記ストッパ部と前記リンク部とが別体に形成されたことを特徴とする請求項１記載の電気錠。
【請求項３】
前記回動中心に対する前記プランジャのモーメントと前記カウンタウェイトのモーメントとが前記リンク部の回動位置に関係なく一定であることを特徴とする請求項１又は２記載の電気錠。
【請求項４】
前記リンク部の一端と他端との各ガイド部に前記プランジャと前記カウンタウェイトとの各係合部がリンク部長手方向にスライド自在に係合したことを特徴とする請求項１〜３の何れかに記載の電気錠。
【発明の詳細な説明】
【技術分野】
【０００１】
本発明は、衝撃等が加えられた際にソレノイドのプランジャの慣性で不用意にロック解除がなされないようにした電気錠に関するものである。
【背景技術】
【０００２】
図７は、従来の電気錠の一形態を示すものである（特許文献１参照）。
【０００３】
この電気錠８１は、金庫やロッカ等に適用され、上向きにプランジャ８２を突出させる垂直な電磁ソレノイド８３と、プランジャ８２の先端に設けられた係止杆８４と、係止杆８４を進入係合させる扉９０の上部の係合孔８５と、プランジャ８２の水平な長孔８５に一端を支持され、中間を軸部８６で上下方向回動自在に維持され、他端に重り部８７を有する衝撃相殺用のレバー８８とを備えるものである。図７で、符号８９は、プランジャ８４の動きを検知するリミットスイッチである。
【０００４】
例えば、電気錠８１に強い衝撃を与えてソレノイド８３のプランジャ８２を内部のばね力に抗して後退させて扉９０を開き、内部の保管物を盗もうとする者が、衝撃を加えた際に、重り８７がその自重と共に慣性力を受けて下向きに回動してプランジャ８２の後退（下降）を阻止することで、盗難が防止される。
【０００５】
図８は、従来の電気錠の他の形態を示すものである（特許文献２参照）。
【０００６】
この電気錠９１は、貨物自動車のリヤ扉等に適用され、電磁ソレノイド９２を水平に配置し、ソレノイド９２のプランジャ９３と、開閉用のハンドル９４の係合フック９５に係合するロック用のストッパ部材９６とをレバー９７で連結し、レバー９７の中間の支点９８に対してプランジャ９３とストッパ部材９６の慣性モーメントを略等しくしたものである。図７で、符号９８はばね部材、９９は扉を開閉するロックロッドである。
【０００７】
例えば、自動車の走行中に電気錠９１に強い振動が加わった際に、ストッパ部材９６とプランジャ９３の慣性モーメントがキャンセルされ、レバー９７が支点９８を中心に回転力を受けることがないから、不意なロック解除が防止される。
【特許文献１】実公平７−１２５６７号公報（図３）
【特許文献２】実開平２−１０３４７４号公報（第１図）
【発明の開示】
【発明が解決しようとする課題】
【０００８】
しかしながら、上記従来の図７の電気錠８１にあっては、重り８７がレバー８８の軸部８６を中心として一定の半径で回動するために、図９（ａ）（ｂ）の説明図で示すように、図９（ｂ）のレバー８８の回動位置によって、衝撃の方向に対するレバー８８のスパンが変化し（ｒ２がｒ２ｃｏｓθになり）、プランジャ８２と重り８７のモーメントに差を生じ（ｍ１×ｒ１＞ｍ２×ｒ２ｃｏｓθになり）、それにより、衝撃時にロック（施錠）の確保を完全には保証でき兼ねないという懸念があった。また逆に、解錠時において衝撃で不意なロックを起こし兼ねず、再解錠の手間を必要とするという懸念もあった。
【０００９】
また、上記従来の図８の電気錠にあっては、ストッパ部材９６が係合フック９５に大きな摩擦力で接しやすく、その場合にプランジャ９３との慣性モーメントに差を生じ、衝撃に対してロック（施錠）の保証性が低下したり、電磁ソレノイド９２を大型化して施解錠の力を強化しなければならないという懸念があった。また、レバー９７が軸部９８を支点に回動した際に、図７の電気錠８１におけると同様に、ストッパ部材９６側のレバー９７の上半部のスパンとプランジャ９３側のレバー９７の下半部のスパンとに差を生じた場合に、衝撃時のロック（施錠）の確保を完全には保証でき兼ねないという懸念があった。
【００１０】
本発明は、上記した各点に鑑み、衝撃等を受けた際におけるロック（施錠）の信頼性を高めると共に、解錠時の不意なロックを確実に防止することができる電気錠を提供することを目的とする。
【課題を解決するための手段】
【００１１】
上記目的を達成するために、本発明の請求項１に係る電気錠は、相手側のストライカに係合するロック部材と、該ロック部材に係合するストッパ部と、該ストッパ部と一体に回動するリンク部と、該リンク部の一端に係合した電磁ソレノイドのプランジャと、該リンク部の他端に係合したカウンタウェイトとを備え、該ストッパ部と該リンク部とで成る部材の重心と回動中心とが一致したことを特徴とする。
【００１２】
上記構成により、ストッパ部とリンク部とで成る部材の重心が部材の回動中心に一致しているから、あらゆる方向（３６０゜）の衝撃に対して、部材に回転力（モーメント）が発生することがない。これにより、部材の回動中心を支点としたプランジャのモーメントとカウンタウェイトのモーメントとを正確に一致させることができ、外部からの衝撃に対するプランジャの慣性が確実に相殺される。ストッパ部はロック部材をロックさせ、リンク部はストッパ部材をロックないしロック解除方向に一体に回動させ、電磁ソレノイドはリンク部材をロックないしロック解除方向に回動させる。
【００１３】
請求項２に係る電気錠は、請求項１記載の電気錠において、前記ストッパ部と前記リンク部とが別体に形成されたことを特徴とする。
【００１４】
上記構成により、ソレノイドの動作でリンク部のみを回動させ、ストッパ部はロック部材に被ロック状態に当接させておくことで、オートロックに対応したロック準備状態を得ることができる。ストッパ部はロック方向に回動した際にリンク部に当接するようにしておき、ソレノイドでリンク部がロック方向に回動した際に、ストッパ部をばねの付勢力でロック部材に向けてロック方向に回動させるようにする。
【００１５】
請求項３に係る電気錠は、請求項１又は２記載の電気錠において、前記回動中心に対する前記プランジャのモーメントと前記カウンタウェイトのモーメントとが前記リンク部の回動位置に関係なく一定であることを特徴とする。
【００１６】
上記構成により、リンク部（正確にはリンク部とストッパ部とで成る部材、ないしストッパ部とは別体のリンク部）の回動位置に関係なく、リンク部が停止した位置で、プランジャとカウンタウェイトとの各モーメントが常に同一であるから、衝撃に対するロック解除や不意なロックが確実に防止される。例えば、プランジャの引き込みでリンク部とストッパ部が一体に時計回りに回動し、ストッパ部がロック部材から離脱したロック解除状態で、衝撃が加わっても、不意なロックが確実に防止される。また、プランジャの押し出しでリンク部とストッパ部が一体に反時計回りに回動し（リンク部とストッパ部が別体の場合はリンク部が回動し、ストッパ部がばね付勢力で回動し）、ストッパ部がロック部材に係合したロック状態で、衝撃が加わっても、不意なロック解除が確実に防止される。
【００１７】
請求項４に係る電気錠は、請求項１〜３の何れかに記載の電気錠において、前記リンク部の一端と他端との各ガイド部に前記プランジャと前記カウンタウェイトとの各係合部がリンク部長手方向にスライド自在に係合したことを特徴とする。
【００１８】
上記構成により、ソレノイドで駆動されてリンク部が回動した際に、プランジャとカウンタウェイトとの各係合部がリンク部の各端のガイド部に沿って摺動することで、プランジャとカウンタウェイトとが常に平行に移動し、リンク部の回動中心から各係合部までの距離（垂直距離ないし水平距離）が常に一定で、プランジャとカウンタウェイトのモーメントが常に一定となる。従って、リンク部の回動位置に関係なく、リンク部が停止した位置で、プランジャとカウンタウェイトとの各モーメントが常に同一となる。ガイド部としては長孔や長孔状の切欠孔、係合部としては円柱状のピン部が好適である。
【発明の効果】
【００１９】
請求項１記載の発明によれば、ストッパ部とリンク部とで成る部材の重心が部材の回動中心に一致しているから、部材の回動中心を支点としたプランジャのモーメントとカウンタウェイトのモーメントとを正確に一致させることができ、これにより、外部からの衝撃に対するプランジャの慣性を確実に相殺して、衝撃に対するロックの信頼性を高めることができる。これにより、盗難や地震等による解錠の危険が確実に回避される。同様に、衝撃に対する解錠時の不意なロックの防止の信頼性をも高めることができる。
【００２０】
請求項２記載の発明によれば、リンク部とストッパ部とを独立して回動させることで、オートロックにも適用可能となり、電気錠の使用範囲が多様化する。このような種々の使用形態において、衝撃に対するロック解除防止及びロック防止の信頼性を高めることができる。
【００２１】
請求項３記載の発明によれば、リンク部の回動位置に関係なく、ロック解除防止及びロック防止の信頼性を高めることができる。それにより、リンク部の回動方向の取付初期位置を所望に設定することができ、設計の自由度が拡大する。
【００２２】
請求項４記載の発明によれば、リンク部の回動位置に関係なく、ロック解除防止及びロック防止の信頼性を高めることができる。それにより、リンク部の回動方向の取付初期位置を所望に設定することができ、設計の自由度が拡大する。
【発明を実施するための最良の形態】
【００２３】
図１〜図５は、本発明に係る電気錠の一実施形態を示すものである。この電気錠１は小型化を図ったもので、ロッカや机の引出しや小型の金庫等に好適である。
【００２４】
図１の如く、この電気錠１は、扉や引出し等のストライカ２に係合する回動自在なロックプレート（ロック部材）３と、ロックプレート３に対するストッパ部４とリンク部５とで成る回動自在なプレート部材（部材）６と、リンク部５の上端側に係合した水平な電磁ソレノイド７のプランジャ（鉄芯ないしロッド）８と、リンク部５の下端側に係合した水平な円柱状のカウンタウェイト９とを備え、プレート部材６の重心と回転軸１０の中心（回転中心）とが一致し、プランジャ８とカウンタウェイト９との重量が同一で、プレート部材６の回動時に、回転中心からプランジャ８までのスパンと、回転中心からカウンタウェイト９までのスパンが常に同一である。
【００２５】
図１の実施形態ではストッパ部４とリンク部５とを別体のストッパプレート（ないしストッパレバー）（４）とリンクプレート（ないしリンクレバー）（５）とで構成した例を示しているが、ストッパ部４とリンク部５とを金属板で一体に形成することも可能である。
【００２６】
図１のように別体のストッパプレート（４）を用いれば、オートロックに対応して、扉等を開けた状態（ストライカ２がロックプレート３から外側に離間した状態）でもロック（施錠）することができる。図１の状態から図３の如く、例えばソレノイド７をオンしてプランジャ８を圧縮コイルばね４２の力で前方に突出させ、プランジャ８と一体にリンクプレート（５）を反時計回りに回動させた際に、ストッパプレート（４）は捩り巻きばね３０の付勢力で反時計回りに回動してロックプレート３の後部側の円弧状の凸部３８に当接して、ロック準備状態を得る。
【００２７】
図２の如く、相手側のストライカ２は略Ｕ字状に形成され、電気錠１のケース１１の凹部１２に進退自在である。図１では扉等の開き状態となっている。ロックプレート３はケース１１に軸部１３で上下方向回動自在に支持され、且つスナップスプリング１４（図４）で施錠及び解錠方向に付勢されて、図１で解錠状態を維持している。
【００２８】
ロックプレート３は先端側に上向きの短い凸部１５と長い凸部１６と、両凸部１５，１６の間の凹部１７と、長い凸部１６の後方の凹部１８とを有し、図１で長い凸部１６にストライカ２が当り、図４の扉等の閉じ時にロックプレート３が時計回りに回動して短い凸部１５でストライカ２を保持し、図５の施錠時に後側の凹部１８にストッパ部４の先端部分１９が係合する。
【００２９】
図１の如く、プレート部材６は、上下（垂直）方向のリンク部５と、リンク部５に斜めに交差したストッパ部４とで成り、リンク部５の上側突出部２０と下側突出部２１とにそれぞれ垂直方向の長孔状の切欠孔（ガイド部）２２，２３が設けられている。
【００３０】
ソレノイド７のプランジャ８の前部に円柱状の水平なピン部（係合部）２４が直交して設けられ、ピン部２４が上側の切欠孔２２にスライド自在に係合している。また、カウンタウェイト９の前半に円柱状の水平なピン部（係合部）２５が直交して設けられ、ピン部２５が下側の切欠孔２３にスライド自在に係合している。各ピン部２４，２５はプランジャ８やカウンタウェイト９の軸心から直角に突出している。本例で、軸部１０の中心から各ピン部２４，２５の中心までの垂直距離（スパン）は等しく設定されている。
【００３１】
ストッパ部４はリンク部５から斜め前方上向きに突出した前側部分２６と、前側部分２６から下向きに突出した先端部分１９とを有している。ストッパ部４をリンク部５とは別体に形成した場合は、リンク部５から斜め後方下向きに突出した後側部分２７と、後側部分２７から上向きに突出した板状部分２８とをストッパ部（ストッパプレート）４に設け、板状部分２８を上方から当接させる後方の突出部２９をリンク部（リンクプレート）５に設ける。ストッパ部４は捩り巻きばね３０で反時計回りに付勢され、リンク部５も一体に付勢される。捩り巻きばね３０は、一端３０ａをストッパ部（ストッパプレート）４に係止させ、他端３０ｂをリンク部（リンクプレート）５の後端側の板状部分２８に係止させ、巻き部３０ｃを軸部１０の外周側に位置させている。ばね３０の力はソレノイド７側の圧縮コイルばね４２の力よりも弱い。ロック状態はばね３０とばね４２の力関係に依存する。
【００３２】
ストッパ部４とリンク部５とで一体化されたプレート部材６の重心は軸部１０の中心と一致している。また、別体化されたストッパプレート（４）の重心は軸部１０の中心と一致し、リンクプレート（５）の重心は軸部１０の中心と一致している。これらの重心は設計段階でＣＡＤによって求められる。
【００３３】
一体のプレート部材６の場合はリンクプレート（５）の後方の突出部２９やストッパプレート（４）の突出部２７，２８は不要であるが、重心を軸心に一致させるために、これらの部分２７〜２９を一体に形成してもよい。この後方の突出部２７はリミットスイッチ３１で回動位置を検出するためにも有用で、突出板部２８は図２の如く外部に突出して外部操作等させるためにも有用である。
【００３４】
プレート部材６やストッパプレート（４）やリンクプレート（５）の重心が軸部１０の中心に一致しているから、３６０゜のあらゆる方向から衝撃が加わっても、これらの部材６，（４），（５）に回転力（モーメント）が発生することがなく、これにより、上側のプランジャ８と下側のカウンタウェイト９との衝撃方向の慣性力が正確に一致し、ロック解除防止性能が高まる。また、プランジャ８とカウンタウェイト９の支軸周りのモーメントを同一に設定すればよいので設計や製造が容易である。
【００３５】
本例の電磁ソレノイド７は小型軽量のものであるが、プランジャ復帰用のばね４２を用いてプランジャ８の突出動作を確実なものとしている。ばね４２を用いずに内部コイル（図示せず）の磁界と逆磁界とでプランジャ８を進退させることも可能である。
【００３６】
電磁ソレノイド７の筒体部３２はケース１１に水平に固定され、プランジャ８は水平に前後に進退する。プランジャ８とカウンタウェイト９とは平行に配置されている。本例のカウンタウェイト９はプランジャ８と同じ寸法形状で同一重量に、すなわち支軸周りのモーメントが同一に形成されている。カウンタウェイト９はプランジャ８と同方向の衝撃を受ける。衝撃とは、ロッカや引出し等を物取り等の目的で強く叩いたり、落下させたり、あるいは地震等で強い振動が与えられた際のものである。
【００３７】
図１において、軸部１０の中心からプランジャ８のピン２４の中心までの垂直距離とカウンタウェイト９のピン２５の中心までの垂直距離は同一に設定されている。各ピン２４，２５の中心はプランジャ８の軸心やカウンタウェイト９の軸心と一致している。衝撃を受けた際のプランジャ８のモーメント、すなわち軸心からの垂直距離とプランジャ８の質量との積は、カウンタウェイト９のモーメント、すなわち軸心からの垂直距離とカウンタウェイト９の質量に等しい。
【００３８】
なお、これら上下の垂直距離や各部材８，９の質量は必ずしも一致させる必要はなく、プランジャ８とカウンタウェイト９のモーメントが一致してさえいえばよい。従って、例えばカウンタウェイト９の質量をプランジャ８の質量の二倍にした場合は、軸心からカウンタウェイト９までの垂直距離をプランジャまでの垂直距離の１／２にすればよい。この場合でも、リンク部５やリンクプレート（５）の重心は軸心に一致させるべく、リンク部５やリンクプレート（５）の下半部２１が上半部２０よりも幅広に形成される。
【００３９】
図２の如く、カウンタウェイト９はケース１１側のガイド部３３に案内されて、常時水平に進退するようになっている。ガイド部３３は前後一対の壁部３４に水平な孔部３５を設けて構成され、各孔部３５にカウンタウェイト９の後半部が進入してスムーズにスライド自在となっている。
【００４０】
カウンタウェイト９とガイド部３３との摩擦抵抗（係数）はソレノイド７の筒体３２内のプランジャ８（図１）の摩擦抵抗（係数）と等しく設定されることが好ましく、少なくとも近似した値になるように設定される。両者の摩擦抵抗が異なると、衝撃時のプランジャ８とカウンタウェイト９とのモーメントに差を生じるからである。
【００４１】
図２で、符号１０はプレート部材６の軸部、１３はロックプレート３の軸部をそれぞれ示している。ガイド部３３はケース１１のカバー（ホルダ）部分３６に一体形成され、ロックプレート３やプレート部材６等はカバー部分３６で覆われてケース１１内に収容されている。
【００４２】
図４は扉等を閉めて、ストライカ２がロックプレート３を時計回りに回動させてロックプレート３に係合した状態であり、ソレノイド７は未だ作動しておらず、ストッパ部４の先端１９はロックプレート３の上方に離間している。
【００４３】
ロックプレート３の後端がリミットスイッチ３７をオンさせることで、図５の如く、ソレノイド７が作動し、プランジャ８が前進（突出）して、プレート部材６を反時計回りに回動させ、ストッパ部４の先端の突出部１９がロックプレート３の凹部１８に進入係合し、凹部１８の後側の凸部３８が突出部１９に当接することで、ロックプレート３の解錠方向（反時計回り）の回動が阻止される。ロックプレート３の後部下面３９はケース１１の傾斜面４０に当接する。ストッパ部４はばね３０で反時計回り（ロック方向）に弾性付勢されている。ソレノイド７の通電が解除されても、ばね４２とばね３０の付勢力でロック状態が維持される。一体のプレート部材６では例えば捩じり巻きばね３０の一端３０ａをケース１１側に係止させたり、圧縮コイルばね等の他のばね（図示せず）を用いることも可能である。
【００４４】
ストッパ部４をリンク部５とは別体のストッパプレート（４）とした場合は、リンクプレート（５）の反時計回りの回動に伴って、図４におけるリンクプレート（５）とストッパプレート（４）との後方の各突出部２８，２９がばね３０の力で当接しつつ、ストッパプレート（４）がばね３０の力で反時計回り（ロック方向）に回動して、先端の突出部１９がロックプレート３に係合する。
【００４５】
図５の如く、プランジャ８がコイルばね４２の力で水平に前進すると同時に、カウンタウェイト９が平行に（水平に）後退する。プランジャ８のピン部２４はリンク部５の上側の切欠孔２２に沿ってスライドして切欠孔２２の上部に位置し、それと同時に、カウンタウェイト９のピン部２５がリンク部５の下側の切欠孔２３に沿ってスライドする。各ピン２４，２５は各切欠孔２２，２３にガタ付きなく係合している。
【００４６】
各切欠孔２２，２３と各ピン２４，２５とによって、軸部１０の中心からプランジャ８の軸心までの垂直距離と、軸部１０の中心からカウンタウェイト９の軸心までの垂直距離とが常時不変となっている。
【００４７】
図６（ａ）（ｂ）に示す如く、プランジャ８のモーメント、すなわち軸部１０の中心（軸心すなわち回動中心）１０ａからプランジャ８の軸心（ピン部２４の中心）までの垂直距離ｒ１と、プランジャ８の質量との積は、リンク部５の回動位置に係わらず常に一定で等しく、カウンタウェイト９のモーメント、すなわち軸部１０の中心（軸心すなわち回動中心）１０ａからカウンタウェイト９の軸心（ピン部２５の中心）までの垂直距離ｒ２と、カウンタウェイト９の質量との積は、リンク部５の回動位置に係わらず常に一定で等しく、両部材８，９のモーメントはリンク部５の回動位置に関係なく常に一定で且つ等しい。符号Ｆは衝撃の方向を示す。軸心１０ａはリンク部５のみならずストッパ部４（図１）の回動中心でもある。
【００４８】
上記構成により、図５のロック（施錠）状態で、外部から衝撃が加わって、プランジャ８が後退（ロック解除方向に移動）しようとしても、カウンタウェイト９にもプランジャ８と同一のモーメントが同一方向に加わって、リンク部５の時計回り（ロック解除方向）の回動が阻止され、プランジャ８の後退が阻止される。この作用は、プレート部材６ないしリンクプレート（５）やストッパプレート（４）の重心が軸部１０の中心に一致していることによって正確化される。
【００４９】
図５の施錠状態からソレノイド７に通電してプランジャ８を後退させる（引き込ませる）ことで、図４の如く、リンク部５とストッパ部４が一体に時計回りに回動して、カウンタウェイト９が水平に前進し、ストッパ部４の先端１９がロックプレート３から離脱し、図１の如く扉等が開かれる。図１の解錠状態で衝撃が加わった場合には、上記と同様の作用で不意なロックが確実に防止される。
【００５０】
なお、上記実施形態においては、ソレノイド７やカウンタウェイト９が水平になるように電気錠１を配置したが、例えば机の引出し等の形態によっては、電気錠１を垂直に配置することも可能である。この場合でも上記同様の作用効果が奏される。上記実施形態ではオートロックの構成のみを説明したが、手動のキー操作で電気的にソレノイド７を作動させてロック及びロック解除を行わせることができることは言うまでもない。
【図面の簡単な説明】
【００５１】
【図１】本発明に係る電気錠の一実施形態の内部構造を示す扉開き状態の正面図である。
【図２】同じく電気錠の外観を示す扉開き状態の斜視図である。
【図３】電気錠の内部構成を示す扉開き時のロック準備状態の正面図である。
【図４】電気錠の内部構造を示す扉閉じ状態で且つ解錠状態の正面図である。
【図５】電気錠の内部構造を示す施錠状態の正面図である。
【図６】（ａ）（ｂ）は電気錠のソレノイドとカウンタウェイトの動作を示す説明図である。
【図７】従来の電気錠の一形態の要部を示す正面図である。
【図８】従来の電気錠の他の形態を示す正面図である。
【図９】（ａ）（ｂ）は従来の電気錠の一形態におけるソレノイドとカウンタウェイトの動作を示す説明図である。
【符号の説明】
【００５２】
１          電気錠
２          ストライカ
３          ロックプレート（ロック部材）
４          ストッパ部
５          リンク部
６          プレート部材（部材）
７          電磁ソレノイド
８          プランジャ
９          カウンタウェイト
１０        軸部
１０ａ      回動中心
２２，２３  切欠孔（ガイド部）
２４，２５  ピン部（係合部）
【図１】
2008266929.tif 000003
【図２】
2008266929.tif 000004
【図３】
2008266929.tif 000005
【図４】
2008266929.tif 000006
【図５】
2008266929.tif 000007
【図６】
2008266929.tif 000008
【図７】
2008266929.tif 000009
【図８】
2008266929.tif 000010
【図９】
2008266929.tif 000011